(57)【要約】【課題】ケーブルドラムを水平に保持することを可能とするケーブルドラム支持装置を提供する。【解決手段】ケーブルドラムの中心穴に挿通し、ケーブルドラムを回転可能に支持するドラム支持部（３）と、ドラム支持部（３）を支持する支持受部（５）と、支持受部（５）を昇降可能に装着する支柱（４ｂ）と、を有して構成し、支持受部（５）は、当該支持受部（５）の昇降方向と直交する直交方向に開口部を有し、当該開口部でドラム支持部（３）を架設し、ドラム支持部（３）がケーブルドラム（１）の回転方向と同一方向に回転可能となるようにドラム支持部（３）を支持し、且つ、支持受部（５）は、支持受部（５）の昇降方向と直交する直交方向に傾向可能となるように支柱（４ｂ）に装着され、支持受部（５）の昇降及び傾向により、ドラム支持部（３）の位置を調節し、ケーブルドラム（１）を水平に保持する。【選択図】図１
2008143632.tif 000002
【特許請求の範囲】
【請求項１】
ケーブルドラムを回転可能に支持するケーブルドラム支持装置であって、
前記ケーブルドラムの中心穴に挿通し、前記ケーブルドラムを回転可能に支持するドラム支持部と、前記ドラム支持部を支持する支持受部と、前記支持受部を昇降可能に装着する支柱と、を有し、
前記支持受部は、当該支持受部の昇降方向と直交する直交方向に開口部を有し、当該開口部で前記ドラム支持部を架設し、前記ドラム支持部が前記ケーブルドラムの回転方向と同一方向に回転可能となるように前記ドラム支持部を支持し、且つ、前記支持受部は、前記直交方向に傾向可能となるように前記支柱に装着され、前記支持受部の昇降及び傾向により、前記ドラム支持部の位置を調節し、前記ケーブルドラムを水平に保持することを特徴とするケーブルドラム支持装置。
【請求項２】
前記支持受部が昇降可能となるように前記支持受部を前記支柱に装着するための装着部を有し、
前記装着部と、前記支持受部と、は、前記ケーブルドラムの回転方向に貫通穴を有し、
前記装着部の貫通穴と、前記支持受部の貫通穴と、に挿通し、前記装着部と前記支持受部とを結合する結合部を有し、
前記支持受部は、前記結合部を軸として、前記直交方向に傾向可能となることを特徴とする請求項１記載のケーブルドラム支持装置。
【請求項３】
前記ケーブルドラムの回転を停止させるためのドラム停止部を有し、
前記ドラム停止部は、
前記ケーブルドラムの側板を当該ケーブルドラムの回転方向に沿って滑走させる側板滑走部と、
前記側板滑走部の位置を調節し、前記側板滑走部と前記側板とを接触させ、前記側板滑走部と前記側板との間の摩擦で前記ケーブルドラムの回転を停止させるドラム停止操作部と、を有することを特徴とする請求項１または２記載のケーブルドラム支持装置。
【発明の詳細な説明】
【技術分野】
【０００１】
本発明は、ケーブルを巻回して構成されるケーブルドラムを回転可能に支持するケーブルドラム支持装置に関し、例えば、ケーブルドラムからケーブルを引き出し、該引き出したケーブルを経路に沿って布設する作業等に好適なケーブルドラム支持装置に関するものである。
【背景技術】
【０００２】
従来、ケーブルは、ケーブルドラムに巻回された状態で輸送され、ケーブルの布設現場において、図１０に示すようなケーブルドラム支持装置によりケーブルドラムを支持させ、ケーブルドラムからケーブルを引き出し、該引き出したケーブルを経路に沿って布設していたのが現状である。以下、図１０を参照しながら、従来のケーブルドラム支持装置について説明する。なお、図１０は、従来のケーブルドラム支持装置の斜視図を示す。
【０００３】
なお、図１０に示す符号（１）は、ケーブル（２）が巻回される円筒部の両端に対して側板（１ａ）を設けた木製のケーブルドラムである。また、（３）は、ケーブルドラム（１）の中心穴（１ｂ）に挿通されるドラム支持部である。
【０００４】
また、（４）は、ジャッキである。ジャッキ（４）は、ベース（４ａ）と、ベース（４ａ）に垂直に立設された円筒状の支柱（４ｂ）と、雌ねじ部が中心穴に形成され、支柱（４ｂ）の上部に支柱（４ｂ）の軸心周りに回転可能に取り付けられた昇降ハンドル（４ｃ）と、外周部に形成された雄ねじ部を昇降ハンドル（４ｃ）の雌ねじ部に螺合させて支柱（４ｂ）に取り付けられた長尺の雄ねじ棒（４ｄ）と、雄ねじ棒（４ｄ）の頭部に固着された円筒状の受部（４ｅ）と、支柱（４ｂ）とベース（４ａ）とに連結されて支柱（４ｂ）の倒れを防止する補強梁（４ｆ）と、を有して構成される。
【０００５】
次に、図１０に示すケーブルドラム支持装置を用いて行うケーブル延線作業について説明する。
【０００６】
まず、ドラム支持部（３）をケーブルドラム（１）の中心穴（１ｂ）に挿通させる。次に、昇降ハンドル（４ｃ）を回転させて受部（４ｅ）が所定の高さとなるように調節する。そして、受部（４ｅ）の高さを調整したジャッキ（４）をケーブルドラム（１）の両端にそれぞれ配置する。
【０００７】
次に、ケーブルドラム（１）の中心穴（１ｂ）に通したドラム支持部（３）の両端を各ジャッキ（４）の受部（４ｅ）に挿通する。そして、昇降ハンドル（４ｃ）を回転させて受部（４ｅ）を上昇させる。
【０００８】
これにより、ケーブルドラム（１）は、図１０に示すように、空中に浮いた状態で、一対のジャッキ（４）に回転自在に支持されることになる。そして、作業者は、ケーブルドラム（１）に巻回されているケーブル（２）の先端を保持し、ケーブル（２）を牽引することになる。
【０００９】
この作業者の牽引により、ケーブルドラム（１）が回転し、ケーブルドラム（１）からケーブル（２）を引き出すことが可能となる。
【００１０】
なお、上述したケーブルドラム支持装置を使用する場合には、ケーブルドラム（１）が水平となるようにドラム支持部（３）の両端を調節しなければ、延線作業中にケーブルドラム（１）が片寄り、ケーブルドラム（１）が転倒する危険性がある。
【００１１】
また、ケーブルドラム（１）が転倒しない場合であっても、ケーブルドラム（１）が片寄った状態では、ドラム支持部（３）とケーブルドラム（１）との間の摩擦力が増大し、ケーブルドラム（１）の回転効率が低減し、ケーブル延線作業の作業効率を低下させてしまう問題を招くことになる。なお、この上述した問題は、ケーブルドラム（１）の大きさや重量が増大すればするほど顕著となる。
【００１２】
また、ケーブル延線作業を行う現場によっては、ケーブルドラム支持装置を平坦に設置できない状況も想定される。このような状況の現場では、ケーブルドラム（１）が水平となるようにドラム支持部（３）の両端を調節することが必須となる。
【００１３】
しかしながら、上述したドラム支持部（３）の調節は、作業者の目視により行うのが一般的であるため、ケーブルドラム（１）が水平となるようにドラム支持部（３）の両端を調節することができない場合が多い。
【００１４】
このため、上述した問題点を解決すべく、ケーブルドラム（１）を出来るだけ水平に保持することが可能なケーブルドラム支持装置の開発が要望視されることになる。
【００１５】
なお、本発明より先に出願された技術文献として、ケーブルドラムの大きさや長さが異なる場合であっても十分対応することができるとともに、ケーブルドラムを水平に調節する作業が不要となり、またケーブルの布設作業中にケーブルドラムのみが張力を上回って回転するおそれのないケーブルドラム支持装置について開示された文献がある（例えば、特許文献１参照）。
【００１６】
また、ケーブルドラムの支持手順の簡素化を図り、軽量、かつ、優れた支持作業性をもつケーブルドラム支持装置について開示された文献がある（例えば、特許文献２参照）。
【特許文献１】特開平８−７３１２０号公報
【特許文献２】特開２００２−２４１０５０号公報
【発明の開示】
【発明が解決しようとする課題】
【００１７】
しかしながら、上記特許文献１、２は、ドラム支持部を支持する支持受部を昇降及び傾向可能にし、ドラム支持部の位置を調節し、ケーブルドラムを水平に保持する点については何ら記載もその必要性の示唆もされていない。
【００１８】
本発明は、上記事情に鑑みてなされたものであり、ドラム支持部を支持する支持受部を昇降及び傾向可能にし、ドラム支持部の位置を調節し、ケーブルドラムを水平に保持することを可能とするケーブルドラム支持装置を提供することを目的とするものである。
【課題を解決するための手段】
【００１９】
かかる目的を達成するために、本発明は、以下の特徴を有することとする。なお、以下に説明する『』の中の記載は、『特許請求の範囲』と、『発明の実施の形態』と、の対応関係を明らかにするために付加したものであり、『特許請求の範囲』に記載されている発明の技術的範囲の解釈を意識的に限定するものではない。
【００２０】
本発明にかかるケーブルドラム支持装置は、ケーブルドラム『１』を回転可能に支持するケーブルドラム支持装置であって、ケーブルドラム『１』の中心穴『１ｂ』に挿通し、ケーブルドラム『１』を回転可能に支持するドラム支持部『３』と、ドラム支持部『３』を支持する支持受部『５』と、支持受部『５』を昇降可能に装着する支柱『４ｂ』と、を有し、支持受部『５』は、当該支持受部『５』の昇降方向と直交する直交方向『Ａ』に開口部『５ａ』を有し、当該開口部『５ａ』でドラム支持部『３』を架設し、ドラム支持部『３』がケーブルドラム『１』の回転方向と同一方向に回転可能となるようにドラム支持部『３』を支持し、且つ、支持受部『５』は、直交方向『Ａ』に傾向可能となるように支柱『４ｂ』に装着され、支持受部『５』の昇降及び傾向により、ドラム支持部『３』の位置を調節し、ケーブルドラム『１』を水平に保持することを特徴とするものである。
【００２１】
また、本発明にかかるケーブルドラム支持装置は、支持受部『５』が昇降可能となるように支持受部『５』を支柱『４ｂ』に装着するための装着部『６』を有し、装着部『６』と、支持受部『５』と、は、ケーブルドラム『１』の回転方向に貫通穴『６ａ，５１ｂ』を有し、装着部『６』の貫通穴『６ａ』と、支持受部『５』の貫通穴『５１ｂ』と、に挿通し、装着部『６』と支持受部『５』とを結合する結合部『５３』を有し、支持受部『５』は、結合部『５３』を軸として、直交方向『Ａ』に傾向可能となることを特徴とするものである。
【００２２】
また、本発明にかかるケーブルドラム支持装置は、ケーブルドラム『１』の回転を停止させるためのドラム停止部『１２』を有し、ドラム停止部『１２』は、ケーブルドラム『１』の側板『１ａ』を当該ケーブルドラム『１』の回転方向に沿って滑走させる側板滑走部『１２１』と、側板滑走部『１２１』の位置を調節し、側板滑走部『１２１』と側板『１ａ』とを接触させ、側板滑走部『１２１』と側板『１ａ』との間の摩擦でケーブルドラム『１』の回転を停止させるドラム停止操作部『１２２』と、を有することを特徴とするものである。
【発明の効果】
【００２３】
本発明によれば、ドラム支持部『３』を支持する支持受部『５』を昇降及び傾向可能にし、ドラム支持部『３』の位置を調節し、ケーブルドラム『１』を水平に保持することが可能となる。
【発明を実施するための最良の形態】
【００２４】
まず、図１、図２を参照しながら、本実施形態のケーブルドラム支持装置の特徴について説明する。
【００２５】
図１に示す本実施形態のケーブルドラム支持装置は、ケーブルドラム（１：図９参照）を回転可能に支持するケーブルドラム支持装置である。
【００２６】
なお、本実施形態におけるケーブルドラム支持装置は、ケーブルドラム（１）の中心穴（１ｂ：図９参照）に挿通し、ケーブルドラム（１）を回転可能に支持するドラム支持部（３）と、ドラム支持部（３）を支持する支持受部（５）と、支持受部（５）を昇降可能に装着する支柱（４ｂ）と、を有して構成される。
【００２７】
そして、支持受部（５）は、図２に示すように、当該支持受部（５）の昇降方向と直交する直交方向『Ａ』に開口部（５ａ）を有し、当該開口部（５ａ）でドラム支持部（３）を架設し、ドラム支持部（３）がケーブルドラム（１）の回転方向『Ｂ』と同一方向に回転可能となるようにドラム支持部（３）を支持し、且つ、支持受部（５）は、支持受部（５）の昇降方向と直交する直交方向『Ａ』に傾向可能となるように支柱（４ｂ）に装着され、支持受部（５）の昇降及び傾向により、ドラム支持部（３）の位置を調節し、ケーブルドラム（１）を水平に保持することを特徴とするものである。
【００２８】
これにより、ドラム支持部（３）を支持する支持受部（５）を昇降及び傾向可能にし、ドラム支持部（３）の位置を調節し、ケーブルドラム（１）を水平に保持することが可能となるため、ケーブル（２）の延線作業中にケーブルドラム（１）が片寄りを始め、ケーブルドラム（１）が転倒する危険性を解消することが可能となる。
【００２９】
また、ケーブルドラム（１）の回転効率の低減を防止し、ケーブル延線作業の作業効率の低下を防止することが可能となる。以下、添付図面を参照しながら、本実施形態のケーブルドラム支持装置について詳細に説明する。
【００３０】
＜ケーブルドラム支持装置の構成＞
まず、図１を参照しながら、本実施形態のケーブルドラム支持装置の概略構成について説明する。
【００３１】
本実施形態のケーブルドラム支持装置は、主に、ドラム支持部（３）と、支持受部（５）と、支柱（４ｂ）と、を有して構成される。
【００３２】
ドラム支持部（３）は、ケーブルドラム（１：図９、図１０参照）を支持するものである。支持受部（５）は、ドラム支持部（３）を支持するものである。支柱（４ｂ）は、支持受部（５）を昇降可能に装着するものである。
【００３３】
なお、ドラム支持部（３）は、図９に示すように、ケーブルドラム（１）の中心穴（１ｂ）に挿通し、ケーブルドラム（１）を回転可能に支持することになる。
【００３４】
また、ドラム支持部（３）は、第１の支持板（３ａ，３ｂ）を有して構成し、第１の支持板（３ａ，３ｂ）間にケーブルドラム（１）が位置するようにケーブルドラム（１）を支持することになる。
【００３５】
また、ドラム支持部（３）は、第２の支持板（３ｃ）と、第３の支持板（３ｄ）と、を有して構成し、第２の支持板（３ｃ）と、第３の支持板（３ｄ）と、の間に支持受部（５）が位置するように、ドラム支持部（３）を支持受部（５）で支持し、ドラム支持部（３）が支持受部（５）から脱落しないように構成している。
【００３６】
また、支柱（４ｂ）は、支持受部（５）を昇降可能にするための支持受部昇降機構部（１０）を有し、支持受部昇降機構部（１０）により、支持受部（５）を支柱（４ｂ）の長手方向『昇降方向』に昇降可能に構成している。
【００３７】
また、支柱（４ｂ）は、支柱（４ｂ）を垂直に立設させるためのベース（４ａ）と、支柱（４ｂ）の傾倒を防止するための補強梁（４ｆ）と、を有して構成している。なお、補強梁（４ｆ）は、支柱（４ｂ）とベース（４ａ）とに連結し、支柱（４ｂ）の傾倒を防止することになる。
【００３８】
なお、一対のベース（４ａ）は、支柱連結部（１１）を介して連結し、一対の支柱（４ｂ）の安定性を向上させている。
【００３９】
また、本実施形態におけるドラム支持装置は、ケーブルドラム（１）の回転を停止させるためのドラム停止部（１２）を有して構成している。これにより、ケーブルドラム（１）の回転を容易に停止させることが可能となる。
【００４０】
＜支持受部：５の詳細構造＞
次に、図２を参照しながら、本実施形態の特徴部分となる支持受部（５）の詳細構造について説明する。
【００４１】
支持受部（５）は、当該支持受部（５）の昇降方向と直交する直交方向『Ａ』に開口部（５ａ）を有し、当該開口部（５ａ）でドラム支持部（３）を架設し、ドラム支持部（３）がケーブルドラム（１）の回転方向『Ｂ』と同一方向に回転可能となるようにドラム支持部（３）を支持することになる。
【００４２】
また、支持受部（５）は、支持受部（５）の昇降方向と直交する直交方向『Ａ』に傾向可能となるように支柱（４ｂ）と装着している。
【００４３】
これにより、支持受部（５）は、支柱（４ｂ）の長手方向『昇降方向』に昇降可能となると共に、図３（ａ，ｂ）に示すように、当該支持受部（５）の昇降方向と直交する直交方向『Ａ』に傾向可能となるように構成し、その支持受部（５）の昇降及び傾向により、ドラム支持部（３）の位置を調節し、ケーブルドラム（１）を水平に保持することが可能となる。
【００４４】
例えば、図４（ａ）に示すように、ケーブルドラム支持装置の設置場所が平坦な現場において、ケーブルドラム支持装置を設置してケーブル延線作業を行う場合には、支持受部昇降機構部（１０）により、支持受部（５）を昇降させ、ドラム支持部（３）の位置を調節し、ケーブルドラム（１）を水平に保持するように調整することになる。
【００４５】
しかしながら、図４（ｂ）に示すように、ケーブルドラム支持装置の設置場所が傾斜（Δθ）を形成し、ケーブルドラム支持装置の設置場所が平坦でない現場において、ケーブルドラム支持装置を設置してケーブル延線作業を行う場合には、ケーブルドラム（１）を水平に保持するように調整することが困難となる。
【００４６】
このため、本実施形態におけるケーブルドラム支持装置において、支持受部（５）は、図３（ａ，ｂ）に示すように、当該支持受部（５）の昇降方向と直交する直交方向『Ａ』に傾向可能となるように構成することで、図４（ｂ）に示すように、ケーブルドラム支持装置の設置場所が傾斜（Δθ）を形成し、ケーブルドラム支持装置の設置場所が平坦でない現場において、支持受部（５）を昇降させ、ケーブルドラム（１）を水平に保持するように調整した場合に、支持受部（５）は、当該支持受部（５）の昇降方向と直交する直交方向『Ａ』に傾斜（Δθ）の角度だけ傾向し、ケーブルドラム（１）を水平に保持することになる。なお、図４（ｂ）に示す右側の支持受部（５）は、図３（ａ）に示す状態を形成し、図４（ｂ）に示す左側の支持受部（５）は、図３（ｂ）に示す状態を形成することになる。
【００４７】
これにより、ケーブル（２）の延線作業中にケーブルドラム（１）が片寄りを始め、ケーブルドラム（１）が転倒する虞を未然に回避することが可能となる。また、ケーブルドラム（１）を水平に保持することが可能となるため、ケーブルドラム（１）の回転効率の低減を防止し、ケーブル延線作業を効率良く行うことが可能となる。
【００４８】
なお、支持受部（５）は、図５（ｂ）に示すように、支持受部（５）の下側を構成する第１の支持受部（５１）と、支持受部（５）の上側を構成する第２の支持受部（５２）と、を有して構成される。そして、図５（ａ）に示す状態の第１の支持受部（５１）に対し、図５（ｂ）に示すように、第２の支持受部（５２）を装着することで、第１の支持受部（５１）と、第２の支持受部（５２）と、を結合し、図５（ｂ）に示す開口部（５ａ）を構成することになる。
【００４９】
支持受部（５）は、開口部（５ａ）でドラム支持部（３）を架設し、図２に示すように、ドラム支持部（３）がケーブルドラム（１）の回転方向『Ｂ』と同一方向に回転可能となるようにドラム支持部（３）を支持することになる。
【００５０】
ドラム支持部（３）は、第１の支持受部（５１）に設けられた対のベアリング（５１ａ）により支持され、ドラム支持部（３）がケーブルドラム（１）の回転方向『Ｂ』と同一方向に回転可能となるように構成している。
【００５１】
また、ドラム支持部（３）は、第２の支持受部（５２）に設けられた対のベアリング（５２ａ）により添着され、ドラム支持部（３）の揺動を抑止しつつ、ドラム支持部（３）がケーブルドラム（１）の回転方向『Ｂ』と同一方向に回転可能となるように構成している。
【００５２】
なお、第１の支持受部（５１）は、図６、図７に示すように、装着部（６）と接合し、支持受部（５）が昇降可能となるように第１の支持受部（５１）を支柱（４ｂ）に装着している。
【００５３】
装着部（６）は、図７に示すように、ケーブルドラム（１）の回転方向に貫通穴（６ａ）が設けられている。また、第１の支持受部（５１）も、ケーブルドラム（１）の回転方向に貫通穴（５１ｂ）が設けられている。そして、装着部（６）に設けられた貫通穴（６ａ）と、第１の支持受部（５１）に設けられた貫通穴（５１ｂ）と、に結合部（５３）を挿通し、図６に示すように、装着部（６）と第１の支持受部（５１）とを結合している。
【００５４】
これにより、第１の支持受部（５１）は、結合部（５３）を軸として、支持受部（５）の昇降方向と直交する直交方向『Ａ』に傾向可能となるように構成している。
【００５５】
また、第１の支持受部（５１）は、図５（ａ）、図７に示すように、第１の結合部（５１ｃ）と、第２の結合部（５１ｄ）と、を有して構成している。
【００５６】
また、第２の支持受部（５２）は、図５（ｂ）に示すように、第１の貫通穴（５２ｃ）と、第２の貫通穴（５２ｄ）と、を有して構成している。
【００５７】
そして、図５（ｂ）に示すように、第１の結合部（５１ｃ）を第１の貫通穴（５２ｃ）に挿通し、第１の結合部（５１ｃ）をボルト（５１ｅ）で止め、また、第２の結合部（５１ｄ）を第２の貫通穴（５２ｄ）に挿通し、第２の結合部（５１ｄ）をボルト（５１ｅ）で止めることで、第１の支持受部（５１）と、第２の支持受部（５２）と、を結合することになる。
【００５８】
なお、第１の支持受部（５１）に設けられる１対のベアリング（５１ａ）は、図６、図７に示すように、支持受部（５）の昇降方向と直交する直交方向『Ａ』に設けられた貫通穴（５１１ａ）に支軸（５１１ｂ）を挿通し、当該支軸（５１１ｂ）にベアリング（５１ａ）、第２の躍動用座金（５１１ｃ）、第１の躍動用座金（５１１ｄ）を順次装着し、支軸（５１１ｂ）をボルト（５１１ｅ）で止めて構成している。なお、第２の支持受部（５２）に設けられる１対のベアリング（５２ａ）も同様に構成している。
【００５９】
＜ドラム停止部：１２の詳細構造＞
次に、図８、図９を参照しながら、ドラム停止部（１２）の詳細構造について説明する。
【００６０】
ドラム停止部（１２）は、側板滑走部（１２１）と、レバー（１２２）と、結合部（１２３）と、を有して構成している。なお、ドラム停止部（１２）は、結合部（１２３）により、支柱連結部（１１）と結合して構成している。
【００６１】
側板滑走部（１２１）は、図９に示すように、ケーブルドラム（１）の一方の側板（１ａ）をケーブルドラム（１）の回転方向に沿って滑走させるためのものである。
【００６２】
レバー（１２２）は、側板滑走部（１２１）を上下に移動させ、ケーブルドラム（１）の回転を停止させるものである。
【００６３】
例えば、レバー（１２２）を『Ａ１』方向に移動させると、側板滑走部（１２１）が『Ａ２』方向に移動し、側板滑走部（１２１）が側板（１ａ）と接触し、側板滑走部（１２１）と側板（１ａ）との間で摩擦が生じ、ケーブルドラム（１）の回転を停止させることになる。
【００６４】
また、レバー（１２２）を『Ｂ１』方向に移動させると、側板滑走部（１２１）が『Ｂ２』方向に移動し、側板滑走部（１２１）が側板（１ａ）と離れ、ケーブルドラム（１）を回転可能にさせることになる。これにより、ケーブルドラム（１）の回転不能にさせたり、回転可能にさせたりすることが可能となる。
【００６５】
このように、本実施形態におけるケーブルドラム支持装置は、レバー（１２２）を操作し、側板滑走部（１２１）の位置を調節し、側板滑走部（１２１）と側板（１ａ）とを接触させ、側板滑走部（１２１）と側板（１ａ）との間の摩擦でケーブルドラム（１）の回転を停止させることで、ケーブルドラム（１）を容易に停止させることが可能となる。
【００６６】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００６７】
例えば、上述した支持受部昇降機構部（１０）は、支持受部（５）を昇降可能にする機構であれば、あらゆる昇降機構が適用可能であり、例えば、油圧や、ジャッキ等の機構が適用可能である。
【産業上の利用可能性】
【００６８】
本発明にかかるケーブルドラム支持装置は、ケーブルドラムからケーブルを引き出し、該引き出したケーブルを経路に沿って布設する作業等に適用可能であり、特に、ケーブルドラム支持装置を平坦に設置できない現場状況に好適である。
【図面の簡単な説明】
【００６９】
【図１】本実施形態のケーブルドラム支持装置の概略構成を示す図である。
【図２】本実施形態のケーブルドラム支持装置を構成する支持受部（５）の詳細構造を示す図である。
【図３】本実施形態の支持受部（５）の詳細構造を示す図であり、当該支持受部（５）の昇降方向と直交する直交方向（Ａ）に傾向した状態を示す図であり、例えば、（ａ）は、図４（ｂ）に示す右側の支持受部（５）の状態を示し、（ｂ）は、図４（ｂ）に示す左側の支持受部（５）の状態を示す。
【図４】本実施形態のケーブルドラム支持装置を設置してケーブル延線作業を行う場合を示す図であり、（ａ）は、ケーブルドラム支持装置の設置場所が平坦な現場において、ケーブルドラム支持装置を設置してケーブル延線作業を行う場合を示し、（ｂ）は、ケーブルドラム支持装置の設置場所が傾斜（Δθ）を形成し、ケーブルドラム支持装置の設置場所が平坦でない現場において、ケーブルドラム支持装置を設置してケーブル延線作業を行う場合を示す。
【図５】本実施形態の支持受部（５）の詳細構造を示す図であり、（ａ）は、支持受部（５）の下側を構成する第１の支持受部（５１）の構成のみを示し、（ｂ）は、支持受部（５）の下側を構成する第１の支持受部（５１）と、支持受部（５）の上側を構成する第２の支持受部（５２）と、を結合し、開口部（５ａ）を構築した状態を示す。
【図６】本実施形態の支持受部（５）の下側を構成する第１の支持受部（５１）の詳細構造を示す図である。
【図７】本実施形態の支持受部（５）の下側を構成する第１の支持受部（５１）の詳細構造を示す分解斜示図である。
【図８】本実施形態のケーブルドラム支持装置を構成するドラム停止部（１２）の詳細構造を示す第１の図であり、ケーブルドラム（１）を設ける前の状態を示す。
【図９】本実施形態のケーブルドラム支持装置を構成するドラム停止部（１２）の詳細構造を示す第２の図であり、ケーブルドラム（１）を設けた後の状態を示す。
【図１０】従来のケーブルドラム支持装置の構成を示す図である。
【符号の説明】
【００７０】
１    ケーブルドラム
１ａ    側板
１ｂ    中心穴
２    ケーブル
３    ドラム支持部
３ａ，３ｂ，３ｃ，３ｄ    支持板
４ａ    ベース
４ｂ    支柱
４ｆ    補強梁
５    支持受部
５ａ    開口部
５１    第１の支持受部
５１ａ    ベアリング
５１１ａ    貫通穴
５１１ｂ    支軸
５１１ｃ    第２の躍動用座金
５１１ｄ    第１の躍動用座金
５１１ｅ    ボルト
５１ｂ    貫通穴
５１ｃ    第１の結合部
５１ｄ    第２の結合部
５１ｅ    ボルト
５２    第２の支持受部
５２ａ    ベアリング
５２ｃ    第１の貫通穴
５２ｄ    第２の貫通穴
５３    結合部
６    装着部
６ａ    貫通穴
１０    支持受部昇降機構部
１１    支持連結部
１２    ドラム停止部
１２１    側板滑走部
１２２    レバー
１２３    結合部
【図１】
2008143632.tif 000003
【図２】
2008143632.tif 000004
【図３】
2008143632.tif 000005
【図４】
2008143632.tif 000006
【図５】
2008143632.tif 000007
【図６】
2008143632.tif 000008
【図７】
2008143632.tif 000009
【図８】
2008143632.tif 000010
【図９】
2008143632.tif 000011
【図１０】
2008143632.tif 000012